(57)【特許請求の範囲】
【請求項１】
枠体と、この枠体に上部開閉機構と下部開閉機構とを介して開閉可能に取付けられる戸体とを具備する開口部装置において、
前記上部開閉機構は、前記枠体の上枠に取付けられるとともに少なくとも一部に水平な面を備えた上部固定ヒンジと、
前記戸体に取付けられ前記上部固定ヒンジの水平な面内の一点を貫通する垂直軸心の周りに回動する垂直な面を備えた上部回動部と、
前記垂直軸心を共有し、前記上部固定ヒンジ又は前記上部回動部のいずれか一方に取付けられ、他方に略水平方向からはめ込まれることが可能とされた軸と、を備え、
前記下部開閉機構は、前記枠体の縦枠に取付けられるとともに少なくとも一部に水平な面を備えた下部固定ヒンジと、
前記戸体に取付けられ前記下部固定ヒンジの水平な面内の一点を貫通する垂直軸心の周りに回動する垂直な面を備えた下部回動部と、
前記垂直軸心を共有し、前記下部固定ヒンジ又は前記下部回動部のいずれか一方に取付けられ、他方に垂直方向に嵌入可能とされた軸と、を備え、
前記枠体に前記戸体が前記上部及び下部開閉機構を介して組み付けられた状態で、前記上部固定ヒンジ下面と前記上部回動部上端面との間の垂直方向距離は、前記下部開閉機構における前記軸の嵌入長さより短く設けられていることを特徴とする開口部装置。
【発明の詳細な説明】
【０００１】
【発明の属する技術分野】
本発明は、建物室内の開口部装置にかかり、特にコンパクトな開閉機構を備えた開口部装置に関する。
【０００２】
【従来の技術】
従来、室内ドアの開閉機構として、ピボットヒンジや、蝶番機構が使用されてきた。例えば、特許第２７８０９６２号公報には、図１１に示されるようなピボットヒンジが開示されている。図１１において、戸体７４は、は上部ピボットヒンジ７０と不図示の下部ピボットヒンジを介して、枠体７５に取付けられている。上部ピボットヒンジ７０は、垂直な軸７１と、軸７１の周りに回動可能に設けられた互いに平行な水平面を持つ二枚の水平部材７２、７３、とを備えている。この水平部材７２の上面が枠体７５の上枠下面に、また、水平部材７３の下面が戸体７４の上端面に取付けられている。そして枠体７５に固定された水平部材７２に対して、軸７１の周りに水平部材７３が回動されることにより、枠体７５に対して戸体７４の開閉動作が実現される。
【０００３】
一方、例えば特開平１１−１０７６０９の公報には、図１２に示されるような蝶番機構の一例が開示されている。図１２において、戸体８８は枠体８９に上部蝶番機構８０ａと、下部蝶番機構８０ｂとを介して取付けられている。図１２においては、蝶番機構８０ａ、８０ｂを明確に示すため、上下の部分が拡大表示され、中央部は、省略されている。なお、図１２の蝶番機構に関する以下の説明において、上下の蝶番機構の区別をする場合には符号の後に「ａ」、「ｂ」を付加し、その必要がない場合には符号の後に「ａ」、「ｂ」を付さずに説明する。
【０００４】
図１２において、蝶番機構８０は、垂直な軸８１と、軸８１の周りに回動可能に設けられ上下に配置された２枚の垂直面をそれぞれ備えた垂直部８２、８３とを具備している。そして、垂直部８２の一面側は戸体８８の側端面に、他の垂直部８３の一面側は枠体８９の縦枠に取付けられている。そして、枠体８９に固定された垂直部８３に対して、軸８１の周りに垂直部８２が回動されることにより、枠体８９に対して戸体８８の開閉動作が実現されている。また、この蝶番機構においては、垂直部８３は紙面手前側と奥側に配置された二枚の平面板にて構成されており、これら二枚の平面板の位置関係を調整ねじ８４〜８６にて相対的に変化させることにより、枠体８９と戸体８８との、開口面に対して左右方向及び手前／奥方向の位置の微調整が可能なように構成されている。さらに、下部蝶番機構８０ｂの軸８１ｂの軸心と共通の軸心を持つ調整ねじ８７の先端部を軸８１ｂの上端部に当接させ、調節ねじ８７を回動させて上下方向に移動することにより、枠体８９と戸体８８との上下方向に関する位置の微調整を可能としている。
【０００５】
【発明が解決しようとする課題】
しかし、ピボットヒンジは平行な水平面を持つ二つの部材が、垂直軸の周りに回動するという構造をもつため、どうしても戸体の開放側に上記二つの部材が張り出すように突出し、室内開口部デザイン上の制約となるという問題があった。特に戸体を１８０°回動させようとすると、張り出し長さをいきおい長くせざるを得ないという問題があった。また、ピボットヒンジは、その構造上枠体と戸体との相対位置関係の微調整を行う調整機構を内部に取り込みにくく、実際に微調整を行う場合には比較的大掛かりな取付け作業を必要とするという問題もあった。
【０００６】
一方、蝶番機構は、上下方向に二枚の平面を必要とするので、軸を上下方向に長く設けざるを得ず、戸体を閉めた状態でも、筒状の軸支持部が長く目立ってしまい、ここにおいてもデザイン上の制約となってしまうという問題があった。
【０００７】
また、昨今の洋風化された家屋や、高層マンション等においては、近代的なデザインの戸体と調和して目立ちにくい、コンパクトなサイズの開閉機構が求められている。
【０００８】
そこで、本発明は、コンパクトなサイズにまとめられて目立ちにくく、大きな張り出し部を設けることなく１８０°回動ができ、戸体と枠体との相対位置の微調整をする調整機構を内部に備え、デザイン上の制約になりにくい開閉機構を備えた開口部装置を提供することを課題とする。
【０００９】
【課題を解決するための手段】
以下、本発明について説明する。なお、本発明の理解を容易にするために添付図面の参照符号を括弧書きにて付記するが、それにより本発明が図示の形態に限定されるものではない。
【００１０】
本発明は、枠体（１）と、この枠体に上部開閉機構（３）と下部開閉機構（４）とを介して開閉可能に取付けられる戸体（２）とを具備する開口部装置（１０）において、上部開閉機構は、枠体の上枠に取付けられるとともに少なくとも一部に水平な面を備えた上部固定ヒンジ（３ｂ）と、戸体に取付けられ上部固定ヒンジの水平な面内の一点を貫通する垂直軸心の周りに回動する垂直な面を備えた上部回動部（３ａ）と、垂直軸心を共有し、上部固定ヒンジ又は上部回動部のいずれか一方に取付けられ、他方に略水平方向からはめ込まれることが可能とされた軸（２３）と、を備え、下部開閉機構は、枠体の縦枠に取付けられるとともに少なくとも一部に水平な面を備えた下部固定ヒンジ（４ｂ）と、戸体に取付けられ下部固定ヒンジの水平な面内の一点を貫通する垂直軸心の周りに回動する垂直な面を備えた下部回動部（４ａ）と、垂直軸心を共有し、下部固定ヒンジ又は下部回動部のいずれか一方に取付けられ、他方に垂直方向に嵌入可能とされた軸（５５）と、を備え、枠体に戸体が上部及び下部開閉機構を介して組み付けられた状態で、上部固定ヒンジ下面と上部回動部上端面との間の垂直方向距離は、下部開閉機構における軸の嵌入長さより短く設けられていることを特徴とする開口部装置を提供して前記課題を解決する。
【００１１】
本発明の開口部装置の開閉機構はいわば、枠体側に取付けられたピボットヒンジ（水平な部材）と、戸体側に取付けられた蝶番（垂直な部材）とを、垂直な軸の周りに回動可能に取付けたものである。したがって、水平な部材と垂直な部材とが垂直軸を介して直交方向に組み合わされているので、開閉機構全体の大きさをコンパクトなものとしつつ、開口部からの張り出し部分を最小限におさえることができる。
【００１５】
また、本発明の開口部装置によれば、まず下部開閉機構にて戸体を枠体に係止し、しかる後に戸体を引き起こして上部開閉機構の軸を水平方向に固定ヒンジ又は回動部はめ込むようにして、容易に戸体を枠体に吊り込むことができる。また、例えば下部に物体があり、戸体がそれに乗り上げた場合、下部開閉機構において軸が抜け落ちる前に、上部開閉機構の回動部上端面と固定ヒンジの下面とが干渉してその動きを規制するので、戸体が枠体より抜け落ちることを未然に防止することができる。
【００１７】
さらに本発明の開口部装置によれば、上部固定ヒンジは上枠に取付けられるので、一平面の部材にて構成することができる。したがって簡素な構造となるので、製造の際に手間が少なく、コストをおさえることができる。また取付けの際に一平面のみを考慮すればよいので、位置決めを容易なものとすることができる。一方、下部固定ヒンジは、縦枠に当接される垂直面と、その垂直面と直交する水平面とを有するので、垂直面の縦枠への当接位置を調節することにより、垂直方向に自由に取付け位置を定めることができる。特にこのような構造は、バリアフリーの開口部を形成する際に有用なものとなる。
【００１８】
本発明のこのような作用及び利得は、次に説明する実施の形態から明らかにされる。
【００１９】
【発明の実施の形態】
以下本発明を図面に示す実施形態に基づき説明する。
【００２０】
図１は、開口部装置１０を示す斜視図であり、（ａ）は、戸体が半ば開いた状態、（ｂ）は戸体が閉められた状態をそれぞれ示している。四辺の枠にて構成される枠体１には、上部開閉機構３、及び下部開閉機構４を介して戸体２が取付けられている。上部開閉機構３は、垂直面を備えた回動部３ａと、少なくとも一部に水平部を備えた固定ヒンジ３ｂとを備えている。また下部開閉機構４は、垂直面を備えた回動部４ａと、少なくとも一部に水平部を備えた固定ヒンジ４ｂとを備えている。上下一対の固定ヒンジ３ｂ、４ｂは、枠体１の上枠及び縦枠にそれぞれ取付けられている。一方、上下一対の回動部３ａ、４ａは、戸体２の側端部（図の右側端）の上端近傍と、下端近傍とにそれぞれ取付けられている。そして、回動部３ａ、４ａは、それぞれ固定ヒンジ３ｂ、４ｂの水平部の一点を貫通する垂直軸心（不図示）の周りに回動可能に構成されており、これによって、枠体１に対して戸体２の開閉動作が確保されている。
【００２１】
以下に、図２〜図５を参照しつつ、第一実施形態の開口部装置、及び図６〜図９を参照しつつ第二実施形態の開口部装置の詳細につき説明する。なお、上下の開閉機構、回動部、及び固定ヒンジに関して図１において使用した符号３、４、３ａ、４ａ、３ｂ、４ｂを以下の第一実施形態及び第二実施形態に関する説明及び図面においてそのまま使用するが、これらの具体的な形状等は、本発明の要旨あるいは技術思想の範囲内で、第一実施形態と第二実施形態との間で異なるものとなることを否定するものではない。
【００２２】
（第一実施形態）
以下に図２〜図５を参照しつつ、第一実施形態にかかる開口部装置の回動部３ａ及び４ａ、並びに固定ヒンジ３ｂ及び４ｂの詳細について説明する。
【００２３】
図２（ａ）は、上部開閉機構３の回動部３ａの正面図を示しており、図２（ｂ）は図２（ａ）のＢ−Ｂ視断面図である。図２において、上部開閉機構３の回動部３ａは、一体に設けられた軸部２０と、旗状部２１と、これら軸部２０及び旗状部２１とは別体に設けられた戸体取付け部２２とを備えている。軸部２０は、軸２３と、その下部外周面を包み込むように円筒形に形成された内部筒状部２５とを備えている。内部筒状部２５の内周面と軸２３の外周面とは密着し固定されている。なお、軸２３は、コアとなる鉄心２３ａの外周囲を潤滑性のある摺動材２４で覆うように構成されている。旗状部２１は、内部筒状部２５の外周面をさらに包み込むように円筒形に形成された外部筒状部２６と、外部筒状部２６の外側面に垂直方向に取付けられた平板状の連結部２７とを備えている。外部筒状部２６の内周面と内部筒状部２５の外周面とは密着の上、固定されている。したがって、軸２３と、内部筒状部２５と、外部筒状部２６との三者は固定されており、前記のごとく軸部２０と旗状部２１とは一体となっている。
【００２４】
連結部２７には水平方向横長に２つの長孔２８ａ、２８ｂが形成されている。この長孔２８ａ、２８ｂに、戸体取付け部２２に取付けられた不図示の２本の固定金具を差し入れて締め付けることにより、連結部２７と、戸体取付け部２２とが固定されるように構成されている。戸体取付け部２２には調整ねじ２９が取付けられている。調整ねじ２９は、二つの長孔２８ａ、２８ｂを結ぶ線から戸体取付け部２２の外周側にずらされた位置に取付けられている。調整ねじ２９はその頭部が連結部２７の一面側に当接されている。また調整ねじ２９のねじ部は戸体取付け部２２に螺合されている。戸体取付け部２２の四隅近傍には４つの取付け孔３０ａ〜３０ｄが設けられている。これら４つの取付け孔３０ａ〜３０ｄに固定金具を差し入れて、戸体取付け部２２を戸体２に固定することにより、回動部３ａは戸体２に固定される。
【００２５】
旗状部２１の連結部２７と、戸体取付け部２２とは以下に説明する戸体取付け位置の微調整を行うため、開口部の奥／手前、及び左右方向に相対的に位置を変えることが可能とされている。開口部に対して戸体の奥／手前方向（図２（ａ）において左右方向）への微調整は、長孔２８ａ、２８ｂに差し入れた固定金具を緩め、戸体取付け部２２を図の左右方向にスライドさせることにより実現される。一方、開口部に対して戸体の左右方向（図２（ａ）において紙面手前／奥方向）への微調整は、調整ねじ２９を回動して、連結部２７と戸体取付け部２２とのなす角度を変化させる（図２（ｂ）参照）ことにより実現される。以上に説明した調整機構は後に図４に基づいて説明する下部開閉機構４の回動部４ａにも備えられている。
【００２６】
図３（ａ）は、上部開閉機構３の固定ヒンジ３ｂを示す図である。固定ヒンジ３ｂは、固定板３２と、固定板３２の表面上をスライドしつつ回動するように構成されたシャッタ３５とを備えている（図３（ａ）では、シャッタ３５が固定板３２から取り外された状態が示されている。）。固定板３２は、概略長方形の平板部３２ａと、平板部３２ａの一辺から略「Ｊ」字形に伸ばされて形成された湾曲部３２ｂとを備えている。平板部３２ａには、４つの孔３３ａ、３３ｂ、３３ｃ、３３ｄが設けられている。固定板３２は、その上面側が枠体１の上枠下面に当接される。そしてこれら４つの孔３３ａ、３３ｂ、３３ｃ、３３ｄに固定金具を差し入れて、固定板３２が枠体１の上枠下面に固定される。これにより、固定ヒンジ３ｂが枠体１に固定される。湾曲部３２ｂには、回動部３ａの軸２３を横方向から差し入れることができるように形成された、切り欠き部３４が設けられている。軸２３が切り欠き部３４に嵌入されると、シャッタ３５を固定板３２上にスライドしつつ回動し、切り欠き部３４の開口を閉鎖して、軸２３の横方向への変位により回動部３ａが固定ヒンジ３ｂから脱落するのを防止することができる（図３（ｂ）参照）。
【００２７】
以上説明したように上部開閉機構３において、固定ヒンジ３ｂの固定板３２は枠体１の上枠に取付けられ、回動部３ａは、戸体２の側部端面に取付けられているので、固定ヒンジ３ｂと回動部３ａとは、直交する二平面上にそれぞれ配置されている位置関係にある。したがって開閉機構全体の大きさをコンパクトなものとしつつ、水平方向への張り出し長さを小さくおさえることができる。また、戸体２に取付けられる回動部３ａの構造は基本的に従来の蝶番機構と同様であるので、従来の蝶番機構に適用し得る戸体の位置微調整機構をそのまま適用することができる。
【００２８】
固定板３２は、上枠に取付ける構造のため平面板を所定形状に形成するだけでよく、加工が容易で手間がかからないという利点がある。これを、縦枠に取付けることができるように構成することも可能である。この場合には、固定板は、直角に折り返された２平面を備える形状を持つ。したがって、上枠に取付ける場合に比べ、加工に手間がかかる。しかし、取付け位置を縦枠上に自由に決定することができるという利点がある。
【００２９】
図４は、下部開閉機構４の回動部４ａを、図５は、下部開閉機構４の固定ヒンジ４ｂをそれぞれ示す図である。まず、図４及び図５を参照しつつ、下部開閉機構４の特徴的部分について説明する。下部開閉機構４においては、回動の中心となる垂直な軸は、固定ヒンジ４ｂ側に設けられている。一方回動部４ａには、下方に開口を設けた嵌入孔が設けられ、この嵌入孔に上記軸が下方から嵌入されて、回動部４ａが垂直軸の周りに回動される構成となっている。以下にこれらの詳細について説明する。
【００３０】
図４において、回動部４ａは、軸受入部４０と、旗状部４１と戸体取付け部４２とを備えている。旗状部４１は、筒状部４３と筒状部４３の外側面に垂直に取付けられた平板状の連結部４４とを備えている。筒状部４３は中空円筒形に形成されており、その中空部が軸受入部４０を形成している。筒状部４３には、その上面及び外周部全体を覆うように円筒状のカバー部材４５が取付けられている。カバー部材４５の円筒外周部には垂直方向にスリットが設けられ、このスリットに旗状部４１の連結部４４を差し入れることができる。このような構成をとることによりカバー部材４５は、筒状部４３に着脱可能とされている。筒状部４３には、その内周面に接触するよう円筒状の内部筒状部４６が固定されて取付けられている。内部筒状部４６の円筒内周面には雌ねじが形成されている。この雌ねじに螺合するように垂直方向に調整ねじ４７が取付けられている。筒状部４３内部において、調整ねじ４７は、上部にねじ頭部４７ａが、下部にねじ先端部４７ｂが位置するように配置されている。筒状部４３からカバー部材４５を取り除くと、筒状部４３の天面開口４３ａに調整ねじ頭部４７ａが露出する。したがって、この天面開口４３ａからドライバ等を差し入れて調整ねじ４７を回動することができる。筒状部４３の下部内周側には、上記調整ねじ４７のねじ先端部４７ｂに接するように摺動部材４８が設けられている。摺動部材４８は、円筒状に形成され、摺動部材４８の上部には円形の天板４８ａが設けられている。摺動部材４８の外周面は、筒状部４３の内周面に面接触しており、両者は上下方向に相対移動が可能とされている。摺動部材４８の天板上面４８ａは、上記したように調整ねじ先端部４７ｂに当接されている。摺動部材４８の下部には開口が設けられ、その開口から上方に向けて、後述する下部固定ヒンジ４ｂに設けられた軸５５（図４下部に鎖線で示されている。）が差し入れられるべき嵌入孔４９が形成されている。
【００３１】
連結部４４には、調整機構を介して戸体取付け部４２が取付けられ、戸体取付け部４２は戸体２に取付けられている。連結部４４と戸体取付け部４２との左右、手前／奥方向に関する相対位置の微調整は調整機構により行われている。これらの構成は、上部開閉機構３と同様であり、すでに説明したのでここでは説明を省略する。
【００３２】
図５において、（ａ）は、固定ヒンジ４ｂの平面図、（ｂ）は正面図をそれぞれ示している。固定ヒンジ４ｂは、ヒンジ本体５０と、ヒンジ本体５０に取付けられた軸５５とを備えている。ヒンジ本体５０は、垂直な面により構成される垂直部５１と、垂直部５１の下端から水平方向に延伸するように形成された水平部５２とを備えている。水平部５２の一端側には垂直な軸５５が水平部５２を上下に貫通するように取付けられている。軸５５の直径は、回動部４ａの嵌入孔４９の内径よりわずかに小さく設けられている。軸５５は水平部５２に固定されており、ヒンジ本体５０と軸５５とは、一体に構成されている。水平部５２上面の軸５５の周囲には固体潤滑性を有する材料で形成された円板状の受け部材５６が設けられている。
【００３３】
ヒンジ本体５０の垂直部５１には四つの孔５７ａ〜５７ｄが設けられている。垂直部５１の一面側が枠体１の縦枠に当接され、これら四つの孔５７ａ〜５７ｄに固定金具が差し入れられて、固定ヒンジ４ｂが枠体１に固定される。そして、回動部４ａの嵌入孔４９に軸５５を下方から差し入れることにより、固定ヒンジ４ｂと、回動部４ａとが連結されて下部開閉機構４が機能する状態とされる。
【００３４】
図４に戻り、回動部４ａの調整ねじ４７を回動させると、調整ねじ先端部４７ｂが上下し、ねじ先端部４７ｂに当接されている摺動部材４８もそれに伴って筒状部４３の内周面に沿って上下動する。摺動部材４８は軸５５により常に上向きの力を受けているからである。したがって、調整ねじ４７を下方に押し込むように回動させると、回動部４ａが上方に押し上げられ、これによって、戸体２が枠体１に対して相対的に上方に移動される。一方調整ねじ４７を上方に変位するように回動させると、回動部４ａが下降し、これによって、戸体２が枠体１に対して相対的に下方に移動される。このようにして、調整ねじ４７を回動させることにより、戸体２の上下方向の位置を微調整することができる。
【００３５】
なお、枠体１に戸体２が上部開閉機構３、及び下部開閉機構４を介して組み付けられた状態において、上部開閉機構３における固定ヒンジ３ｂ下面と回動部３ａ上端面との間の垂直方向距離は、下部開閉機構４における軸５５の摺動部材４８嵌入孔４９への嵌入長さより短く設けられている。したがって、例えば、下部物体に戸体が乗り上げたような場合に、戸体２が枠体１に対して上方に浮き上がるように変位しても、下部開閉機構４において、軸５５が摺動部材４８から抜けて外れてしまう前に、上部開閉機構３において、回動部３ａの上端面が固定ヒンジ３ｂの下面に突き当たり、それ以上の戸体２の上方への変位は規制される。したがって、戸体２が枠体１からはずれ落ちることが防止される。
【００３６】
（第二実施形態）
以下に図６〜図９を参照しつつ、第二実施形態にかかる開口部装置の回動部３ａ及び４ａ、並びに固定ヒンジ３ｂおよび４ｂの詳細について説明する。
【００３７】
図６（ａ）は、上部開閉機構３の回動部３ａの正面図を示しており、図６（ｂ）は図６（ａ）のＢ−Ｂ視垂直断面図、図６（ｃ）は、図６（ａ）のＣ−Ｃ視水平断面図である。図６において、上部開閉機構３の回動部３ａは、一体に設けられた軸部１２０と、旗状部１２１と、これら軸部１２０及び旗状部１２１とは別体に設けられた戸体取付け部１２２とを備えている。軸部１２０は、軸１２３と軸１２３の上部に固定して取付けられたストッパ１２４とを備えている。また軸部１２０にはその下部外周面を包み込むように円筒形に形成された内部筒状部１２５が取付けられている。内部筒状部１２５の内周面と軸１２３の外周面とは密着し固定されている。旗状部１２１は、内部筒状部１２５の外周面を包み込むように円筒形に形成された外部筒状部１２６と、外部筒状部１２６の外側面に垂直方向に取付けられた平板状の連結部１２７とを備えている。外部筒状部１２６の内周面と内部筒状部１２５の外周面とは密着の上、固定されている。したがって、軸１２３と、内部筒状部１２５と、外部筒状部１２６との三者は固定されており、前記のごとく軸部１２０と旗状部１２１とは一体となっている。
【００３８】
連結部１２７には水平方向横長に２本の長孔１２８ａ、１２８ｂが形成されている。この長孔１２８ａ、１２８ｂに、戸体取付け部１２２に取付けられた不図示の２本の固定金具を差し入れて締め付けることにより、連結部１２７と、戸体取付け部１２２とが固定されるように構成されている。戸体取付け部１２２の中央部付近には、水平方向に二つの調整ねじ１２９ａ、１２９ｂが取付けられている。外部筒状部１２６側の調整ねじ１２９ａは連結部１２７を貫通するように取付けられ、外部筒状部１２６から離れた位置にある調整ねじ１２９ｂは、そのねじ頭部が連結部１２７の一面側に当接するように取付けられている。戸体取付け部１２２の四隅近傍には４つの取付け孔１３０ａ〜１３０ｄが設けられている。これら４つの取付け孔１３０ａ〜１３０ｄに固定金具を差し入れて、戸体取付け部１２２を戸体２に固定することにより、回動部３ａは戸体２に固定される。
【００３９】
図６（ａ）において、旗状部１２１の連結部１２７と、戸体取付け部１２２とは以下に説明する戸体取付け位置の微調整を行うため、図の奥／手前方向、及び左右方向に相対的に位置を変えることが可能となっている。開口部に対して戸体の奥／手前方向（図６（ａ）において左右方向）への微調整は、長孔１２８ａ、１２８ｂに差し入れた固定金具を緩め、戸体取付け部１２２を図の左右方向にスライドさせることにより実現される。一方、開口部に対して戸体の左右方向（図６（ａ）において紙面手前／奥方向）への微調整は、調整ねじ１２９ａ、１２９ｂにより、連結部１２７と戸体取付け部１２２とのなす角度を変化させる（図６（ｃ）参照）ことにより実現される。以上に説明した調整機構は後に図８に基づいて説明する下部開閉機構４の回動部４ａにも備えられている。
【００４０】
図７は、上部開閉機構３の固定ヒンジ３ｂを示す図である。固定ヒンジ３ｂは、平板状の固定板１３２と、固定板１３２に取付けられるとともに、固定板１３２の表面上をその姿勢を保持しつつスライドするように取付けられたシャッタ１３５と、固定板１３２上の軸１３６ａの周りに固定板１３２と平行な平面上をスライドして回動するように設けられたカバー部材１３６とを備えている。固定板１３２は、概略「て」の字形に形成されており、「て」の字の上部にあたる直線状に形成された固定部１３２ａと、屈曲形状の張り出し部１３２ｂとを備えている。固定部１３２ａには、３つの孔１３３ａ、１３３ｂ、１３３ｃが設けられている。固定部１３２ａは、その上面側が枠体１の上枠下面に当接される。そしてこれら３つの孔１３３ａ、１３３ｂ、１３３ｃに固定金具を差し入れて、固定板１３２が枠体１の上枠下面に固定される。これにより、固定ヒンジ３ｂが枠体１に固定される。一方張り出し部１３２ｂには、回動部３ａの軸１２３を横方向から差し入れることができるように形成された、切り欠き部１３４が設けられている。
【００４１】
軸１２３が切り欠き部１３４に嵌入されると、シャッタ１３５を図の斜め右下方向にスライドさせて、切り欠き部１３４の開口を閉鎖して、軸１２３の横方向への変位により回動部３ａが固定ヒンジ３ｂから脱落するのを防止することができる。
【００４２】
以上説明したように上部開閉機構３において、固定ヒンジ３ｂの固定板１３２は枠体１の上枠に取付けられ、回動部３ａは、戸体２の側部端面に取付けられているので、固定ヒンジ３ｂと回動部３ａとは、直交する二平面上にそれぞれ配置されている位置関係にある。したがって開閉機構全体の大きさをコンパクトなものとしつつ、水平方向への張り出し長さを小さくおさえることができる。また、戸体２に取付けられる回動部３ａの構造は基本的に従来の蝶番機構と同様であるので、従来の蝶番機構に適用し得る戸体の位置微調整機構をそのまま適用することができる。
【００４３】
固定板１３２は、上枠に取付ける構造のため平面板を所定形状に形成するだけでよく、加工が容易で手間がかからないという利点がある。これを、縦枠に取付けることができるように構成することも可能である。この場合には、固定板は、直角に折り返された２平面を備える形状を持つ。したがって、上枠に取付ける場合に比べ、加工に手間がかかる。しかし、取付け位置を縦枠上に自由に決定することができるという利点もある。
【００４４】
図８は、下部開閉機構４の回動部４ａを、図９は、下部開閉機構４の固定ヒンジ４ｂをそれぞれ示す図である。以下に図８及び図９を参照しつつ、第二実施形態の下部開閉機構４の特徴的部分について説明する。
【００４５】
下部開閉機構４においては、回動の中心となる垂直な軸は、固定ヒンジ４ｂ側に設けられている。一方回動部４ａには、下方に開口を設けた嵌入孔が設けられ、この嵌入孔に上記軸が下方から嵌入されて、回動部４ａが垂直軸の周りに回動される構成となっている。
【００４６】
図８の回動部４ａにおいて、図８（ｂ）は図８（ａ）のＢ−Ｂ視水平断面、図８（ｃ）は図８（ａ）のＣ−Ｃ視垂直断面を示している。図８において、回動部４ａは、旗状部１４０と戸体取付け部１４１とを備えている。旗状部１４０は、筒状部１４２と筒状部１４２の外側面に垂直に取付けられた平板状の連結部１４３とを備えている。筒状部１４２は中空円筒形に形成されており、その内周面に接触するよう円筒状の内部筒状部１４６が固定されて取付けられている。内部筒状部１４６の上部には円形の天板が形成されており、天板中央部には調整ねじ１４４が垂直方向に螺合して取付けられている。筒状部１４２の内部において、上記調整ねじ１４４の下方には摺動部材１４５が設けられている。摺動部材１４５は、円筒状に形成され、摺動部材１４５の上部にも円形の天板が設けられている。摺動部材１４５の外周面は、内部筒状部１４６の内周面に面接触しており、両者は上下方向に相対移動が可能とされている。摺動部材１４５の天板上面は、調整ねじ１４４の下端に当接されている。また摺動部材１４５の下面には開口が設けられ、その開口から上方に向けて後述する下部固定ヒンジ４ｂに設けられた軸１５５（図９参照）が差し入れられるべき嵌入孔１４７が形成されている。
【００４７】
連結部１４３には、調整機構を介して戸体取付け部１４１が取付けられ、戸体取付け部１４１は戸体２に取付けられている。連結部１４３と戸体取付け部１４１との左右、手前／奥方向に関する相対位置の微調整は調整機構により行われている。これらの構成は、上部開閉機構３と同様であり、すでに説明したのでここでは説明を省略する。
【００４８】
図９において、（ａ）は、固定ヒンジ４ｂが枠体１に取付けられた状態での姿勢における平面図、（ｂ）は正面図、（ｃ）は側面図をそれぞれ示している。固定ヒンジ４ｂは、ヒンジ本体１５０と、ヒンジ本体１５０に取付けられた軸１５５とを備えている。ヒンジ本体１５０は、垂直な３つの面により構成される垂直部１５１〜１５３と、垂直部に連続して形成される水平な面を持つ水平部１５４とを備えている。垂直部は、水平断面形状が略「Ｓ」字型に形成されており、第一垂直部１５１と、第二垂直部１５２と、第三垂直部１５３とを備えている。水平部１５４は第三垂直部１５３の下端に取付けられている。水平部１５４のほぼ中央には垂直な軸１５５が水平部１５４を上下に貫通するように取付けられている。軸１５５の直径は、回動部４ａの嵌入孔１４７の内径よりわずかに小さく設けられている。軸１５５は水平部１５４に固定されており、ヒンジ本体１５０と軸１５５とは、一体に構成されている。水平部１５４上面の軸１５５の周囲には、固体潤滑性を有する材料により形成された円板状の受け部材１５６が設けられている。
【００４９】
ヒンジ本体１５０の第一垂直部１５１には四つの孔１５７ａ〜１５７ｄが設けられている。第一垂直部１５１の一面側が枠体１の縦枠に当接され、これら四つの孔１５７ａ〜１５７ｄに固定金具が差し入れられて、固定ヒンジ４ｂが枠体１に固定される。そして、回動部４ａの嵌入孔１４７に軸１５５を下方から差し入れることにより、固定ヒンジ４ｂと、回動部４ａとが連結されて下部開閉機構４が機能する状態とされる。
【００５０】
図８に戻り、回動部４ａの調整ねじ１４４を回動させると、調整ねじ１４４の先端部が上下し、ねじ先端部に当接されている摺動部材１４５もそれに伴って内部筒状部１４６の内周面に沿って上下動する。摺動部材１４５の嵌入孔１４７に嵌入されている軸１５５の先端部は摺動部材１４５の天板下面に当接している。したがって、調整ねじ１４４を下方に押し込むように回動させると、軸１５５は固定されているので、回動部４ａが上方に押し上げられ、これによって、戸体２が枠体１に対して相対的に上方に移動される。このようにして、調整ねじ１４４を回動させることにより、戸体２の上下方向の位置を微調整することができる。
【００５１】
なお、枠体１に戸体２が上部開閉機構３、及び下部開閉機構４を介して組み付けられた状態において、上部開閉機構３における固定ヒンジ３ｂ下面と回動部３ａ上端面との間の垂直方向距離は、下部開閉機構４における軸１５５の嵌入孔１４７への嵌入長さより短く設けられている。したがって、例えば戸体２が何らかの物体に乗り上げて、戸体２が枠体１に対して上方に浮き上がるように変位しても、下部開閉機構４において、軸１５５が摺動部材１４５から抜けて外れてしまう前に、上部開閉機構３において、回動部３ａの上端面が固定ヒンジ３ｂの下面に突き当たり、それ以上の戸体２の上方への変位は規制される。したがって、戸体２が枠体１からはずれ落ちることが防止される。
【００５２】
以上で、第二実施形態に関する説明を終わる。以下の説明は第一実施形態及び第二実施形態に共通するものである。
【００５３】
図１０は、枠体１への戸体２の吊り込みを示す図である。まず戸体２を持ち上げて、下部開閉機構４の回動部４ａの嵌入孔４９（第二実施形態においては嵌入孔１４７。以下第二実施形態における符号が第一実施形態と異なる場合、カッコ内に第二実施形態の符号のみ示す。）に、固定ヒンジ４ｂの軸５５（１５５）を下方から差し入れる（図１０（ａ））。しかる後に戸体２を引き起こし、上部開閉機構３の回動部３ａの軸２３（１２３）を水平方向に固定ヒンジ３ｂの切り欠き部３４（１３４）に挿入して、ストッパ３５（第二実施形態においてはシャッタ１３５）にて両者を固定する。このようにして戸体２を枠体１へ容易に吊り込むことが可能である。
【００５４】
以上の説明では、上部開閉機構３においては回動部３ａに、下部開閉機構４においては固定ヒンジ４ｂに軸２３、５５（１２３、１５５）を設ける例を説明したが、本発明はこれに限定されるものではなく、上部開閉機構３において固定ヒンジ３ｂに、下部開閉機構４においては回動部４ａにそれぞれ軸を設けるように構成してもよい。また、下部開閉機構４において、固定ヒンジ４ｂは、枠体１の縦枠に取付ける例を説明したが、これを下枠に取付けることも可能である。
【００５５】
また、上部開閉機構３において、軸２３（１２３）は内部筒状部２５（１２５）に固定されている旨説明したが、本発明はこれに限定されるものではなく、例えば軸２３（１２３）を内部筒状部２５（１２５）内で、上下方向に摺動可能に取付けるようにしてもよい。このように構成した場合には、軸２３（１２３）を水平方向に固定ヒンジ３ｂの切り欠き部３４（１３４）に挿入する場合に、軸２３（１２３）を持ち上げるようにして行えば、挿入作業をより容易なものとすることができる。
【００５６】
なお、枠体１や戸体２に取付けられる上部開閉機構３の戸体取付け部２２（１２２）、及び固定板３２（１３２）、並びに下部開閉機構４の戸体取付け部４２（１４１）、及び垂直板５１（第二実施形態においては第一垂直板１５１）はそれぞれに厚さを有するので、枠体１や戸体２におけるこれらを取付ける部分は上記厚さが埋め込まれるように切り欠いておくことが美観上好ましい。
【００５７】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【００５８】
【発明の効果】
以上に説明したように、請求項１の開口部装置によれば、水平な部材と垂直な部材とが垂直軸を介して直交方向に組み合わされているので、開閉機構全体の大きさをコンパクトなものとしつつ、開口部からの張り出し部分を最小限におさえることができる。
【００５９】
また、請求項２の開口部装置によれば、開閉機構の戸体側に取付けられる回動部は従来の蝶番機構と同様な構造とすることができるので、この部分に従来の蝶番機構に組み込まれている調整機構と同様の調整機構を組み込むことが可能である。したがって、開閉機構のコンパクトなサイズを実現しつつ、建付け時の枠体と戸体との微妙な位置関係のずれを建付け直後に容易に調整することが可能である。
【００６０】
請求項３の開口部装置によれば、まず下部開閉機構にて戸体を枠体に係止し、しかる後に戸体を引き起こして上部開閉機構の軸を水平方向に固定ヒンジ又は回動部はめ込むようにして、容易に戸体を枠体に吊り込むことができる。また、例えば、下部に物体があり、戸体がそれに乗り上げた場合、下部開閉機構において軸が抜け落ちる前に、上部開閉機構の回動部上端面と固定ヒンジの下面とが干渉してその動きを規制するので、戸体が枠体より抜け落ちることを未然に防止することができる。
【００６１】
さらに、請求項４の開口部装置によれば、上部固定ヒンジは上枠に取付けられるので、一平面の部材にて構成することができる。したがって簡素な構造となるので、製造の際に手間が少なく、コストをおさえることができる。また取付けの際に一平面のみを考慮すればよいので、位置決めを容易なものとすることができる。一方、下部固定ヒンジは、縦枠に当接される垂直面と、その垂直面と直交する水平面を有するので、垂直面の縦枠への当接位置を調節することにより、垂直方向に自由に取付け位置を定めることができる。特にこのような構造は、バリアフリーの開口部を形成する際に有用なものとなる。
【図面の簡単な説明】
【図１】開口部装置を示す斜視図である。
【図２】第一実施形態の上部開閉機構の回動部を示す図である。
【図３】第一実施形態の上部開閉機構の固定ヒンジを示す図である。
【図４】第一実施形態の下部開閉機構の回動部を示す図である。
【図５】第一実施形態の下部開閉機構の固定ヒンジを示す図である。
【図６】第二実施形態の上部開閉機構の回動部を示す図である。
【図７】第二実施形態の上部開閉機構の固定ヒンジを示す図である。
【図８】第二実施形態の下部開閉機構の回動部を示す図である。
【図９】第二実施形態の下部開閉機構の固定ヒンジを示す図である。
【図１０】枠体への戸体の吊り込みを示す図である。
【図１１】従来のピボットヒンジの一例を示す図である。
【図１２】従来の蝶番機構の一例を示す図である。
【符号の説明】
１  枠体
２  戸体
３  上部開閉機構
３ａ  （上部）回動部
３ｂ  （上部）固定ヒンジ
４  下部開閉機構
４ａ  （下部）回動部
４ｂ  （下部）固定ヒンジ
１０  開口部装置
２３  軸
２８ａ  長孔
２８ｂ  長孔
２９  調整ねじ
４７  調整ねじ
５５  軸
【図１】
0003763791.tif 000002
【図２】
0003763791.tif 000003
【図３】
0003763791.tif 000004
【図４】
0003763791.tif 000005
【図５】
0003763791.tif 000006
【図６】
0003763791.tif 000007
【図７】
0003763791.tif 000008
【図８】
0003763791.tif 000009
【図９】
0003763791.tif 000010
【図１０】
0003763791.tif 000011
【図１１】
0003763791.tif 000012
【図１２】
0003763791.tif 000013